(57)【要約】【課題】予定地名称に対応する目的地を好適に推定する。【解決手段】情報提供装置に、ユーザの行動予定情報から予定地名称を取得する予定地名称取得部と、前記予定地名称に地図上の推定目的地を対応付けて記憶する記憶部と、ユーザに対し前記推定目的地までの経路を提示するための情報を車載機器に提供する提供部と、前記車載機器から滞在地に関する情報を取得する滞在地取得部と、前記推定目的地と前記滞在地とが異なるとき、当該滞在地を新たな推定目的地として前記予定地名称に対応付ける管理部と、を設けた。【選択図】図１
2019219320.tif 000002
【特許請求の範囲】
【請求項１】
ユーザの行動予定情報から予定地名称を取得する予定地名称取得部と、
前記予定地名称に地図上の推定目的地を対応付けて記憶する記憶部と、
ユーザに対し前記推定目的地までの経路を提示するための情報を車載機器に提供する提供部と、
前記車載機器から滞在地に関する情報を取得する滞在地取得部と、
前記推定目的地と前記滞在地とが異なるとき、当該滞在地を新たな推定目的地として前記予定地名称に対応付ける管理部と、
を有する情報提供装置。
【請求項２】
請求項１において、
前記管理部は、前記推定目的地と前記滞在地とが異なるときに、前記滞在的地付近に前記予定地名称に対応する地点が位置することを条件として、当該滞在地を新たな推定目的地として前記予定地名称に対応付ける、
情報提供装置。
【請求項３】
請求項１または２において、
前記管理部は、前記推定目的地と前記滞在地とが異なる回数が所定回数に達したことを条件として、当該滞在地を新たな推定目的地として前記予定地名称に対応付ける、
情報提供装置。
【請求項４】
請求項１乃至３のいずれかにおいて、
前記滞在地取得部は、前記車載機器の停止時と起動時の滞在地に関する情報から滞在地を導出する、
情報提供装置。
【請求項５】
請求項４において、
前記滞在地取得部は、前記車載機器の停止時から起動時までの経過時間が所定時間以上であることを条件に、前記滞在地を導出する、
情報提供装置。
【請求項６】
請求項１乃至５のいずれかにおいて、
前記滞在地に関する情報は、前記車載機器が搭載される車両の運動状態を用いて導出される当該車両の位置を含む、
情報提供装置。
【請求項７】
情報提供装置のプロセッサに、
ユーザの行動予定情報から予定地名称を取得する工程と、
前記予定地名称に地図上の推定目的地を対応付けて記憶する工程と、
ユーザに対し前記推定目的地までの経路を提示するための情報を車載機器に提供する工程と、
前記車載機器から滞在地に関する情報を取得する工程と、
前記推定目的地と前記滞在地とが異なるとき、当該滞在地を新たな推定目的地として前記予定地名称に対応付ける工程と、
を実行させる、プログラム。
【請求項８】
情報提供装置と車載機器とを有する情報提供システムにおいて、
前記情報提供装置は、ユーザの行動予定情報から予定地名称を取得する予定地名称取得部と、前記予定地名称に地図上の推定目的地を対応付けて記憶する記憶部と、ユーザに対し前記推定目的地までの経路を提示するための情報を前記車載機器に提供する提供部とを有し、
前記車載機器は、前記推定目的地までの経路を出力する出力部と、滞在地に関する情報を前記情報提供装置に送信する通知部とを有し、
前記情報提供装置は、さらに、前記推定目的地と前記滞在地とが異なるとき、当該滞在地を新たな推定目的地として前記予定地名称に対応付ける管理部を有する、
情報提供システム。
【請求項９】
情報提供装置と車載機器とによる情報提供方法において、
前記情報提供装置は、
ユーザの行動予定情報から予定地名称を取得し、
前記予定地名称に地図上の推定目的地を対応付けて記憶し、
ユーザに対し前記推定目的地までの経路を提示するための情報を前記車載機器に提供し、
前記車載機器は、
前記推定目的地までの経路を出力し、
滞在地に関する情報を前記情報提供装置に送信し、
さらに、前記情報提供装置は、前記推定目的地と前記滞在地とが異なるとき、当該滞在地を新たな推定目的地として前記予定地名称に対応付ける、
情報提供方法。
【発明の詳細な説明】
【技術分野】
【０００１】
本開示は、行動予定に基づき目的地を推定する情報提供装置、情報提供システム、情報提供方法、及びプログラムに関する。
【背景技術】
【０００２】
車両のナビゲーションシステムにおいて、ユーザの利便性を向上させるべく、目的地を自動的に設定して経路案内を行う技術が提案されている。たとえば、特許文献１には、ユーザが行動予定記入媒体に予定地を記入すると、ナビゲーションシステムが予定地を読み取ってその予定地までの経路案内を行う技術が開示されている。
【先行技術文献】
【特許文献】
【０００３】
【特許文献１】特開２００８−２３２７５７号公報
【発明の概要】
【発明が解決しようとする課題】
【０００４】
ユーザの行動予定から予定地に関する情報を取得する技術において、ユーザが携帯端末、媒体等に行動予定を入力する際に予定地名称を略称または通称で入力する場合がある。すると、予定地名称に対応する名称の地点を地図上で特定できず、目的地の設定に支障を来たすおそれがある。
【０００５】
そこで、かかる事情に鑑みてなされた本発明の目的は、予定地名称に対応する目的地を好適に推定して目的地設定・経路案内に資する情報提供装置等を提供することにある。
【課題を解決するための手段】
【０００６】
本開示の一実施形態に係る情報提供装置は、ユーザの行動予定情報から予定地名称を取得する予定地名称取得部と、前記予定地名称に地図上の推定目的地を対応付けて記憶する記憶部と、ユーザに対し前記推定目的地までの経路を提示するための情報を車載機器に提供する提供部と、前記車載機器から滞在地に関する情報を取得する滞在地取得部と、前記推定目的地と前記滞在地とが異なるとき、当該滞在地を新たな推定目的地として前記予定地名称に対応付ける管理部とを有する。
【０００７】
本開示の別の態様に係る情報提供システムは、情報提供装置と車載機器とを有する。そして、前記情報提供装置は、ユーザの行動予定情報から予定地名称を取得する予定地名称取得部と、前記予定地名称に地図上の推定目的地を対応付けて記憶する記憶部と、ユーザに対し前記推定目的地までの経路を提示するための情報を前記車載機器に提供する提供部とを有する。また、前記車載機器は、前記推定目的地までの経路を出力する出力部と、滞在地に関する情報を前記情報提供装置に送信する通知部とを有する。さらに、前記情報提供装置は、前記推定目的地と前記滞在地とが異なるとき、当該滞在地を新たな推定目的地として前記予定地名称に対応付ける管理部を有する。
【０００８】
本開示の別の態様に係る情報提供方法では、前記情報提供装置が、ユーザの行動予定情報から予定地名称を取得し、前記予定地名称に地図上の推定目的地を対応付けて記憶し、ユーザに対し前記推定目的地までの経路を提示するための情報を前記車載機器に提供する。また、前記車載機器が、前記推定目的地までの経路を出力し、滞在地に関する情報を前記情報提供装置に送信する。そして、さらに、前記情報提供装置が、前記推定目的地と前記滞在地とが異なるとき、当該滞在地を新たな推定目的地として前記予定地名称に対応付ける。
【０００９】
本開示の別の態様に係るプログラムは、情報提供装置のプロセッサに、ユーザの行動予定情報から予定地名称を取得する工程と、前記予定地名称に地図上の推定目的地を対応付けて記憶する工程と、ユーザに対し前記推定目的地までの経路を提示するための情報を車載機器に提供する工程と、前記車載機器から滞在地に関する情報を取得する工程と、前記推定目的地と前記滞在地とが異なるとき、当該滞在地を新たな推定目的地として前記予定地名称に対応付ける工程とを実行させる。
【発明の効果】
【００１０】
本開示における情報提供装置等によれば、予定地名称に対応する目的地を好適に推定してユーザに提示することができる。
【図面の簡単な説明】
【００１１】
【図１】情報提供システムの構成を示す図である。
【図２Ａ】行動予定情報の例を示す図である。
【図２Ｂ】語彙データベースの例を示す図である。
【図３】情報提供装置が行動予定情報を取得する手順を示すシーケンス図である。
【図４】情報提供装置が行動予定情報を処理する手順を示すシーケンス図である。
【図５】情報提供装置が行動予定地名称に対応づける推定目的地を変更する手順を示すシーケンス図である。
【図６】情報提供装置が行動予定地名称に対応づける推定目的地を変更する手順を示すフローチャート図である。
【発明を実施するための形態】
【００１２】
以下、図面を参照しつつ、本発明の一実施形態について説明する。
【００１３】
図１は、一実施形態に係る情報提供システム１の構成を示す。情報提供システム１は、情報提供装置１０と、車載機器１２とを有する。情報提供システム１は、さらに、端末１４、データベースサーバ１６を含んでもよい。情報提供装置１０、車載機器１２、端末１４、及びデータベースサーバ１６は、ネットワーク１８に接続され、互いにネットワーク１８を介して有線・無線でデータを送受信する。情報提供装置１０は、たとえば、サーバコンピュータである。また、端末１４は、たとえば、スマートフォン、タブレットなどの、ユーザが携行する可搬型の電子機器である。車載機器１２は、たとえば、カーナビゲーション装置である。車載機器１２は、端末１４のユーザが運転する車両に搭載される。データベースサーバ１６は、たとえば、サービスプロバイダが提供するサーバコンピュータである。ネットワーク１８は、たとえば移動体通信網及びインターネットである。
【００１４】
ユーザは、たとえば、端末１４に行動予定を入力し、情報提供装置１０は端末１４からユーザの行動予定情報を取得する。または、行動予定情報は端末１４からデータベースサーバ１６に一旦送信されて格納され、情報提供装置１０はデータベースサーバ１６からユーザの行動予定情報を取得する。そして、情報提供装置１０は、行動予定情報から、行動が予定される予定地名称を取得し、予定地名称に対応する地図上の目的地を推定し、推定目的地を予定地名称に対応付けて記憶する。そして、情報提供装置１０は、予定地名称に対応付けた推定目的地の情報を車載機器１２に送信する。すると、車載機器１２は、推定目的地までの経路をユーザに提示して、経路案内を行う。情報提供装置１０は、推定目的地までの経路を検索して経路情報を車載機器１２に提供し、車載機器１２にて経路案内してもよいし、推定目的地を車載機器１２に提供し、車載機器１２にて経路検索・案内を行ってもよい。かかる構成において、情報提供装置１０は、後述する手順に従い、車載機器１２からの滞在地に関する情報に基づいて予定地名称に対応付ける推定目的地を修正し、目的地の推定制度を向上させる。
【００１５】
情報提供装置１０は、通信部１０１、記憶部１０２、及び制御部１０３を有する。
【００１６】
通信部１０１は、ネットワーク１８に接続する１以上の通信モジュールを有する。通信モジュールは、たとえば、所定の有線規格または無線規格に対応するモジュールを含んでもよい。本実施形態において、情報提供装置１０は、通信部１０１を介してネットワーク１８に接続される。
【００１７】
記憶部１０２は、１以上のメモリを有する。各メモリは、たとえば、半導体メモリ、磁気メモリ、または光メモリ等である。各メモリは、たとえば、主記憶装置、補助記憶装置、またはキャッシュメモリとして機能してもよい。記憶部１０２は、情報提供装置１０の制御・処理動作に関する制御・処理プログラムを格納する。また、記憶部１０２は、情報提供装置１０の制御・処理動作における種々の情報を一時的に記憶する。また、記憶部１０２は、行動予定情報１１１、語彙データベース１１２、地図情報１１３を記憶する。
【００１８】
ここで、図２Ａ、２Ｂを参照して、行動予定情報１１１及び語彙データベース１１２の例を示す。図２Ａに示すように、行動予定情報１１１は、ユーザの行動予定を含む。行動予定は、たとえば、日時、予定地名称、及び行動内容といったデータ項目の組合せを含む。ユーザは、予定地名称を、必ずしも地図情報１１３における地点の名称ではなく、たとえば「Ａホテル」、「Ｂ社」といった略称、または「会社」、「客先」といった通称で入力する場合がある。そこで、図２Ｂに示すように、語彙データベース１１２は、略称または通称を含む予定地名称と地図情報１１３で特定される地図上の地点を推定目的地として対応付けて格納する。推定目的地は、地図上の地点を特定するために、たとえば施設名または地名、及び位置を含む。
【００１９】
かかる語彙データベース１１２は、たとえば、情報提供装置１０による情報提供を行う事業者が、汎用的な予定地名称と推定目的地との組合せを予め人為的にまたは機械学習により登録することで、設定される。または、たとえば、情報提供装置１０が、行動予定情報１１１を端末１４またはデータベースサーバ１６から取得するときに、予定地名称と地図情報１１３の施設名または地名とを照合し、一部または全部一致する施設名または地名を抽出し推定目的地として予定地名称に対応づけて登録してもよい。さらに、たとえば、端末１４からユーザが任意の予定地名称に対し推定目的地として地図上の施設名または地名を対応付ける操作により、語彙データベース１１２に予定地名称と推定目的地とを登録してもよい。
【００２０】
情報提供装置１０は、このような行動予定情報１１１と語彙データベース１１２とを有することにより、予定地名称に地図上の推定目的地を対応付けて記憶する。すなわち、情報提供装置１０は、ユーザの行動予定に含まれる予定地名称に対応する推定目的地を語彙データベース１１２により推定し、推定目的地の位置情報（たとえば、緯度・経度情報など）を地図情報１１３から抽出する。または、語彙データベース１１２は、推定目的地に対しそれぞれの位置情報を対応付けて格納してもよい。そうすることで、情報提供装置１０は、予定地名称に対応付けられた推定目的地までの経路を提示するための情報を車載機器１２に提供することができる。
【００２１】
図１に戻ると、制御部１０３は、１以上のプロセッサを有する。各プロセッサは、汎用のプロセッサ、または特定の処理に特化した専用のプロセッサであるが、これらに限られない。制御部１０３は、制御・処理プログラムに従って情報提供装置１０の動作を制御する。制御部１０３の制御・処理動作によって、予定地名称取得部１１４、管理部１１５、提供部１１６、及び滞在地取得部１１７が構成される。各部の動作については、後述する。
【００２２】
車載機器１２は、通信部１２１、記憶部１２２、位置情報取得部１２３、出力部１２４、入力部１２５、及び制御部１２６を有する。
【００２３】
通信部１２１は、ネットワーク１８に接続する１以上の通信モジュールを有する。通信モジュールは、たとえば、４Ｇ（4th Generation）及び５Ｇ（5th Generation）等の移動体通信規格に対応するモジュールを含んでもよい。通信部１２１は、ＤＣＭ（Data Communication Module）等の通信機を有してもよい。車載機器１２は、通信部１２１を介してネットワーク１８に接続される。
【００２４】
記憶部１２２は、１以上のメモリを有する。各メモリは、たとえば、半導体メモリ、磁気メモリ、または光メモリ等である。各メモリは、たとえば主記憶装置、補助記憶装置、またはキャッシュメモリとして機能してもよい。記憶部１２２は、車載機器１２の制御・処理動作に関する制御・処理プログラム、地図情報等を格納する。また、記憶部１２２は、車載機器１２の制御・処理動作に用いられる、位置、制動、速度等の種々の情報を一時的に記憶する。
【００２５】
位置情報取得部１２３は、任意の衛星測位システムに対応する受信機を有する。たとえば、位置情報取得部１２３は、ＧＰＳ（Global Positioning System）受信機を含んでもよい。また、位置情報取得部１２３は、車速、舵角、ヨーレート等を検知する各種センサから車両の運動状態を取得する。位置情報取得部１２３は、たとえば、測位情報と車両の運動状態に関する情報を、制御部１２６に送る。
【００２６】
出力部１２４は、制御部１２６が生成したり記憶部１２２から読み出したりする情報を、ユーザに対して出力する出力インタフェースを有する。かかる出力インタフェースは、たとえば、情報を画像・映像で出力するパネルディスプレイ、ヘッドアップディスプレイまたは情報を音声で出力するスピーカ等であるが、これらに限られず、任意の出力インタフェースであってもよい。
【００２７】
入力部１２５は、ユーザ入力を検出し、入力情報を制御部１２６に送る入力インタフェースを有する。かかる入力インタフェースは、たとえば、物理キー、静電容量キー、出力部１２４のパネルディスプレイと一体的に設けられたタッチスクリーン、または音声入力を受け付けるマイクロフォン等であるが、これらに限られず、任意の入力インタフェースであってもよい。
【００２８】
制御部１２６は、１以上のプロセッサを有する。プロセッサは、たとえば、汎用のプロセッサ、または特定の処理に特化した専用のプロセッサであるが、これらに限られない。制御部１２６は、制御・処理プログラムに従って車載機器１２の経路探索・案内といった運転支援動作を制御する。また、制御部１２６は、位置情報取得部１２３から送られる測位情報と車両の運動状態に関する情報に基づいて、車両の現在位置を導出する。そして、制御部１２６は、車両の現在位置を示す位置情報を、通信部１２１を介して情報提供装置１０に送信する。かかる制御部１２６の動作により、位置情報通知部１３１が構成される。位置情報通知部１３１は、車載機器１２の停止を検知したときと、車載機器１２の起動直後とに、すなわちアクセサリー電源のオフ時（ＡＣＣ−ＯＦＦ時）とオン時（ＡＣＣ−ＯＮ時）とに位置情報の導出及び送信を実行する。
【００２９】
端末１４は、通信部１４１、記憶部１４２、出力部１４４、入力部１４５、及び制御部１４６を有する。
【００３０】
通信部１４１は、ネットワーク１８に接続する１以上の通信モジュールを有する。通信モジュールは、たとえば、４Ｇ（4th Generation）及び５Ｇ（5th Generation）等の移動体通信規格に対応するモジュールを含んでもよい。端末１４は、通信部１４１を介してネットワーク１８に接続される。
【００３１】
記憶部１４２は、１以上のメモリを有する。各メモリは、たとえば半導体メモリであるが、これに限られない。記憶部１４２に含まれる各メモリは、たとえば主記憶装置、補助記憶装置、またはキャッシュメモリとして機能してもよい。記憶部１４２は、端末１４の制御・処理動作に関する制御・処理プログラムを格納する。また、記憶部１４２は、端末１４の制御・処理動作に用いられる種々の情報を一時的に記憶する。さらに、記憶部１４２は、ユーザが入力する行動予定に対応する行動予定情報１１１を格納する。
【００３２】
出力部１４４は、制御部１４６が生成したり記憶部１４２から読み出したりする情報を、ユーザに対して出力する出力インタフェースを有する。かかる出力インタフェースは、たとえば、情報を画像・映像で出力するパネルディスプレイ、または情報を音声で出力するスピーカ等であるが、これらに限られず、任意の出力インタフェースであってもよい。
【００３３】
入力部１４５は、ユーザ入力を検出し、入力情報を制御部１４６に送る入力インタフェースを有する。かかる入力インタフェースは、たとえば、物理キー、静電容量キー、出力部１４４のパネルディスプレイと一体的に設けられたタッチスクリーン、または音声入力を受け付けるマイクロフォン等であるが、これらに限られず、任意の入力インタフェースであってもよい。
【００３４】
制御部１４６は、１以上のプロセッサを有する。プロセッサは、たとえば、汎用のプロセッサ、または特定の処理に特化した専用のプロセッサであるが、これらに限られない。制御部１４６は、制御・処理プログラムに従って端末１４の動作の制御、及び端末１４にインストールされたアプリケーションを実行する。たとえば、制御部１４６は、行動予定管理アプリケーション１５０を実行することで、ユーザの行動予定の入力を受け付けて記憶部１４２に行動予定情報１１１を格納し、ユーザの指示入力に応答して行動予定情報１１１をユーザに対し出力する。また、制御部１４６は、行動予定情報１１１を通信部１４１によりネットワーク１８を介してデータベースサーバ１６に送信し、ユーザの指示入力に応答して行動予定情報１１１をデータベースサーバ１６から通信部１４１により受信してユーザに対し出力する。
【００３５】
データベースサーバ１６は、通信部１６１、記憶部１６２、及び制御部１６３を有する。
【００３６】
通信部１６１は、ネットワーク１８に接続する１以上の通信モジュールを有する。通信モジュールは、たとえば、所定の有線規格又は無線規格に対応するモジュールを有してもよい。データベースサーバ１６は、通信部１６１を介してネットワーク１８に接続される。
【００３７】
記憶部１６２は、１以上のメモリを有する。各メモリは、たとえば、半導体メモリ、磁気メモリ、または光メモリ等である。各メモリは、例えば主記憶装置、補助記憶装置、又はキャッシュメモリとして機能してもよい。記憶部１６２は、データベースサーバ１６の制御・処理動作に関する制御・処理プログラムを格納する。また、記憶部１６２は、データベースサーバ１６の制御・処理動作における種々の情報を一時的に記憶する。また、記憶部１６２は、行動予定情報１１１を記憶する。行動予定情報１１１は、たとえば端末１４から受信して記憶部１６２に格納される。
【００３８】
制御部１６３は、１以上のプロセッサを有する。プロセッサは、たとえば、汎用のプロセッサ、または特定の処理に特化した専用のプロセッサであるが、これらに限られない。制御部１６３は、制御・処理プログラムに従ってデータベースサーバ１６の動作を制御する。また、制御部１６３は、たとえば、端末１４から送信される行動予定情報１１１を受信して記憶部１６２に格納する。また、たとえば、制御部１６３は、行動予定情報１１１を記憶部１６２から読み出して端末１４に送信したり、情報提供装置１０に送信したりする。
【００３９】
図３〜６は、情報提供システム１の動作手順を示す図である。
【００４０】
図３は、情報提供装置１０が行動予定情報１１１を取得する手順を示すシーケンス図である。
【００４１】
ユーザが端末１４の行動予定管理アプリケーション１５０を起動し（ステップＳ３０２）、行動予定を入力すると（手順Ｓ３０４）、端末１４は行動予定情報１１１を記憶部１４２に格納し（手順Ｓ３０６）、行動予定情報１１１を情報提供装置１０に送信する（手順Ｓ３０８）。情報提供装置１０は、行動予定情報１１１を受信すると記憶部１０２に格納する（手順Ｓ３１０）。
【００４２】
または、端末１４は、行動予定情報１１１をデータベースサーバ１６に送信する（手順Ｓ３１２）。すると、データベースサーバ１６は、行動予定情報１１１を受信すると記憶部１６２に格納し（手順Ｓ３１４）、行動予定情報１１１を情報提供装置１０に送信する（手順Ｓ３１６）。情報提供装置１０は、行動予定情報１１１を受信すると記憶部１０２に格納する（手順Ｓ３１８）。
【００４３】
図４は、情報提供装置１０が、行動予定情報１１１を処理する手順を示す。図４は、たとえば、ユーザが運転を開始する際、車載機器１２が起動（ＡＣＣ−ＯＮ）されたときに実行される。
【００４４】
車載機器１２がＡＣＣ−ＯＮを検知すると（手順Ｓ４００）、車載機器１２は情報提供装置１０に情報提供要求を送信する（手順Ｓ４０１）。
【００４５】
情報提供装置１０は、行動予定情報１１１から予定地名称を取得する（手順Ｓ４０２）。かかる動作が、「予定地名称取得部１１４」に対応する。そして、たとえば、行動予定に予定地名称が未入力の場合など、予定地名称が取得できないときには（手順Ｓ４０４のＮｏ）、情報提供装置１０は、端末１４に行動予定情報１１１を要求する。すると、図３の手順Ｓ３０８以降が再度実行される。
【００４６】
手順Ｓ４０２において予定地名称が取得できたときには（手順Ｓ４０４のＹｅｓ）、情報提供装置１０は、予定地名称に対応する地図上の推定目的地を記憶部１０２の語彙データベース１１２から読み出す（手順Ｓ４０８）。予定地名称に対応する推定目的地を読み出せた場合（手順Ｓ４１０のＹｅｓ）、情報提供装置１０は、車載機器１２に、ユーザに対し推定目的地までの経路を提示するための情報を送信する（手順Ｓ４１２）。かかる手順Ｓ４１２の動作が、「提供部１１６」に対応する。そして、車載機器１２は、情報提供装置１０から提供された情報に基づいて、推定目的地までの経路案内を開始する（手順Ｓ４１４）。
【００４７】
一方、手順Ｓ４０８において予定地名称に対応する推定目的地が読み出せなかった場合（手順Ｓ４１０のＮｏ）、たとえば、予定地名称に対応しうる推定目的地が語彙データベース１１２に格納されていない場合、情報提供装置１０は、車載機器１２に、滞在地を示す情報を要求する（手順Ｓ４１６）。かかる手順Ｓ４１６の動作は、「滞在地取得部１１７」の動作の一部に対応する。この場合、車載機器１２は、ユーザが車載機器１２に直接入力する目的地までの経路を検索し、経路案内を開始する（手順Ｓ４１８）。
【００４８】
図５は、情報提供装置１０が、行動予定地名称に対応づける推定目的地を変更する場合の手順を示すシーケンス図である。図５の手順は、図４において車載機器１２が情報提供装置１０からの情報提供（手順Ｓ４１２）に基づいて経路案内を開始した場合（手順Ｓ４１４）、または、情報提供装置１０から情報提供を受けずに滞在地を示す情報の要求を受け（手順Ｓ４１６）、ユーザ入力に基づいて経路案内を開始した場合（手順Ｓ４１８）に実行される。
【００４９】
車載機器１２は、ユーザが運転する車両が推定目的地または入力した目的地に到着し、ＡＣＣ−ＯＦＦを検知すると（手順Ｓ５０２）、その時点での位置情報を情報提供装置１０に送信する（手順Ｓ５０４）。すると、情報提供装置１０は、ＡＣＣ−ＯＦＦ時の位置情報を記憶部１０２にて記憶する（手順Ｓ５０６）。次いで、車載機器１２は、ＡＣＣ−ＯＮを検知すると（手順Ｓ５０８）、その時点での位置情報を情報提供装置１０に送信する（手順Ｓ５１０）。すると、情報提供装置１０は、ＡＣＣ−ＯＮ時の位置情報を記憶部１０２にて記憶する（手順Ｓ５１２）。そして、情報提供装置１０は、ＡＣＣ−ＯＦＦ時の位置とＡＣＣ−ＯＮ時の位置が一致しているときに、その位置をユーザが行動予定のために滞在した地点、すなわち滞在地として特定する。滞在地は、位置に加え、地図上で対応するたとえば施設名または地名を含んでもよい。なお、ＡＣＣ−ＯＦＦ時からＡＣＣ−ＯＮ時までの経過時間が所定時間（たとえば、１５分以上の任意に設定される時間）以上であることを、滞在地特定の条件としてもよい。そうすることで、ユーザが経路途上で何処かに立ち寄った場合の誤判断を回避することができる。図４の手順Ｓ４１６及び図５の手順５０６、Ｓ５１２〜Ｓ５１４の動作が、「滞在地取得部１１７」に対応する。
【００５０】
次いで、語彙データベース１１２に予定地名称に対応する推定目的地が記憶されていた場合（手順Ｓ５１６のＹｅｓ）、つまり、図４の手順Ｓ４１０においてＹｅｓだった場合、情報提供装置１０は、予定地名称と推定目的地との対応付けの検証を、推定目的地と滞在地との比較において行う（手順Ｓ５１８）。
【００５１】
一方、予定地名称に対応する推定目的地が読み出されていなかった場合（手順Ｓ５１６のＮｏ）、つまり、図４の手順Ｓ４１０においてＮｏだった場合、情報提供装置１０は、予定地名称に対し滞在地を対応付けて記憶する（手順Ｓ５２０）。すなわち、情報提供装置１０は、語彙データベース１１２に、予定地名称と滞在地とを対応づけて格納する。
【００５２】
ここにおける手順Ｓ５１８、Ｓ５２０の動作は、「管理部１１５」に対応する。
【００５３】
図６は、図５における手順Ｓ５１８の詳細な手順を説明するフローチャート図である。
【００５４】
情報提供装置１０は、推定目的地と滞在地とを比較し、両者が一致する場合（手順Ｓ６００のＮｏ）、本処理を終了する。この場合、予定地名称に対応付けた推定目的地に車両が到着して滞在したので、推定目的地がユーザの意図に合致していたことが確認される。
【００５５】
一方、推定目的地と滞在地とが不一致の場合（手順Ｓ６００のＹｅｓ）、情報提供装置１０は、滞在地付近（任意に設定される距離範囲、たとえば半径１ｋｍ内）で予定地名称と一致する（かならずしも全部一致でなくてもよい）施設名または地名を有する地図上の地点を検索し、かかる地点が検索された場合（手順Ｓ６０２のＹｅｓ）、予定地名称に滞在地を新たな推定目的地として対応付けて記憶する（手順Ｓ６０４）。すなわち、語彙データベース１１２において、予定地名称に対応付けられた推定目的地が、滞在地により書き換えられる。そして、情報提供装置１０は、本処理を終了する。たとえば、予定地が広大な敷地を有する施設の一部であって、予定地とその施設内で車両を駐車した地点とが離間している場合、または、予定地が市街地の一角であって、予定地と市街地内で車両を駐車した駐車施設とが離間している場合などに、予定地名称と駐車した地点、すなわち滞在地とが一致しない場合がある。そのような場合において、予定地名称に新たな推定目的地として滞在地を対応づけて記憶することで、ユーザがその予定地を再度訪問する際に利便性の高い地点にユーザを案内することができる。
【００５６】
手順Ｓ６０２において、滞在地付近で予定地名称と一致する地点が検索されなかった場合（手順Ｓ６０２）、情報提供装置１０は、当該予定地名称にかかる推定目的と滞在地の不一致の回数を積算する（手順Ｓ６０６）。不一致回数が所定回数に達しなければ（手順Ｓ６０８のＮｏ）、予定地名称に対応付けた推定目的地と滞在地の不一致は偶発的な事象とみなされるので、情報提供装置１０は、本処理を終了する。一方、不一致回数が所定回数に達したとき（手順Ｓ６０８のＹｅｓ）、情報提供装置１０は、予定地名称に滞在地を対応付けて記憶し（手順Ｓ６１０）、すなわち、語彙データベース１１２を書き換えて、本処理を終了する。この場合、たとえ予定地名称と一致する地点が滞在地付近に存在しなくても、当該予定地名称の訪問を意図したユーザが当該滞在地に高い頻度で滞在しているので、当該予定地名称に当該滞在地を対応付けて記憶することで、ユーザがその予定地を再度訪問する際にユーザの意図に適った地点にユーザを案内することができる。なお、手順Ｓ６０８で不一致回数を検証する所定回数は、滞在地がユーザの意図に適っていることの信憑性を担保しうる任意の回数（たとえば５回以上）とすることができる。
【００５７】
本実施形態における予定地名称に対応する目的地の推定は、ユーザごとに行ってもよい。たとえば、情報提供装置１０がユーザごとの行動予定情報１１１と語彙データベース１１２とをユーザの識別情報とともに記憶する一方、車載機器１２がユーザの識別情報を記憶しておく。そして、車載機器１２が起動後の情報提供要求（図４の手順Ｓ４０１）とともにユーザの識別情報を情報提供装置１０に送り、情報提供装置１０が受信した識別情報と行動予定情報１１１の識別情報を照合する。そして、識別情報が合致したときに、情報提供装置１０は、当該ユーザの行動予定における予定地名称に対応する目的地を推定し、推定目的地と滞在地とが異なる場合は、当該ユーザに対応する不一致回数の積算値を更新して、積算値に応じて予定地名称に対応する推定目的地を滞在地で更新する。そうすることで、ユーザごとに予定地名称のネーミングが異なる場合であっても、より個々のユーザの利便性に合致するように目的地を推定することが可能になる。
【００５８】
以上述べたように、本実施形態によれば、予定地名称に対応する目的地を好適に推定してユーザに提示することができる。また、車載機器１２では、位置情報通知部１３１が測位情報と車両の運動状態に関する情報に基づいて車両の現在位置を導出するので、たとえば、測位情報のみから現在位置を導出する場合と較べ、測位信号の建造物による乱反射等に起因する誤差を抑制でき、よってより正確な現在位置を導出することができる。よって、かかる位置情報に基づいて滞在地を特定して予定地名称に滞在地を新たな推定目的地として対応付けることで、より精度よく目的地を推定することが可能になる。
【００５９】
本発明を諸図面及び実施例に基づき説明してきたが、当業者であれば本開示に基づき種々の変形及び修正を行うことが容易であることに注意されたい。したがって、これらの変形及び修正は本発明の範囲に含まれることに留意されたい。たとえば、各手段または各ステップ等に含まれる機能等は論理的に矛盾しないように再配置可能であり、複数の手段またはステップ等を１つに組み合わせたり、或いは分割したりすることが可能である。
【００６０】
たとえば、上述した実施形態において、情報提供装置１０の構成及び機能の一部を任意の他の装置が有してもよい。たとえば、情報提供装置１０の構成及び機能の一部を、車載機器１２が有してもよい。
【００６１】
また、たとえば携帯電話、スマートフォン、タブレット端末、またはモバイルコンピュータ等の汎用の電子機器を、上述した実施形態に係る情報提供装置１０として機能させる構成も可能である。具体的には、実施形態に係る情報提供装置１０と端末１４を一体として構成してもよい。その場合、情報提供装置１０と車載機器１２は、たとえばBluetooth（登録商標）などの近距離無線によりデータ通信を行う。
【００６２】
さらに、本実施形態におけるネットワーク１８には、上述した例以外にも、アドホックネットワーク、ＬＡＮ(Local Area Network)、ＭＡＮ(Metropolitan Area Network)、セルラーネットワーク、ＷＰＡＮ(Wireless Personal Area Network)、ＰＳＴＮ(Public Switched Telephone Network)、地上波無線ネットワーク(Terrestrial Wireless Network)、光ネットワークもしくは他のネットワークまたはこれらいずれかの組合せが含まれる。無線ネットワークの構成要素には、たとえば、アクセスポイント(たとえば、Wi-Fiアクセスポイント)、フェムトセル等が含まれる。さらに、無線通信器機は、Bluetooth以外にも、Wi-Fi（登録商標）、セルラー通信技術またはその他の無線技術及び技術標準を用いた無線ネットワークに接続することができる。
【００６３】
このように、本開示内容の種々の側面は、多くの異なる態様で実施することができ、それらの態様はすべて本実施形態の範囲に含まれる。
【符号の説明】
【００６４】
１：情報提供システム、  １０：情報提供装置、  １２：車載機器、  １４：端末、
１０２：記憶部、  １１１：行動予定情報、  １１４：予定地名称取得部、
１１５：管理部、  １１６：提供部、  １１７：滞在地取得部
【図１】
2019219320.tif 000003
【図２Ａ】
2019219320.tif 000004
【図２Ｂ】
2019219320.tif 000005
【図３】
2019219320.tif 000006
【図４】
2019219320.tif 000007
【図５】
2019219320.tif 000008
【図６】
2019219320.tif 000009